(57)【要約】【課題】棒金払出装置のセキュリティ性を簡易な構成で向上できる技術を提供する。【解決手段】棒金の在庫を格納する棒金収納部１２２と、棒金収納部１２２に収納され、複数の棒金が並列に収納される複数の収納トレー１０とを備えた棒金払出装置において、収納トレー１０に手掛け可／不可切替機構が設けられていることを特徴とする。手掛け可／不可切替機構は、収納トレー１０の正面隔壁１１に手を掛けることができる貫通孔である手掛け部３１とシャッター部３０とを含む機構でる。手掛け可／不可切替機構は、収納トレー１０に満杯に収納された棒金の力によってシャッター部３０が手掛け部３１を塞ぎ使用不能な状態とし、収納トレー１０が非満杯時にはシャッター部３０が倒れることによって手掛け部３１から離れ、手掛け部３１を使用可能な状態とする。この構成によって満杯時の収納トレー１０は棒金収納部１２２から引き出せない状態となる。【選択図】図４
2007334567.tif 000002
【特許請求の範囲】
【請求項１】
棒金を払い出す棒金払出装置であって、
棒金の在庫を格納する棒金在庫収納部と、
前記棒金在庫収納部に収納される収納トレーと、
を備え、
前記収納トレーは、
前記棒金在庫収納部から前記収納トレーを引き出すときに手を掛けるための手掛け部と、
前記手掛け部に設けられた手掛け可／不可切替機構と、
を備え、
前記手掛け可／不可切替機構は、前記収納トレーに満杯に収納された棒金の力により、前記手掛け部を使用不能な状態とし、前記収納トレーに収納されている棒金が満杯より少ないときに前記手掛け部を使用可能な状態に切り替えることを特徴とする棒金払出装置。
【請求項２】
請求項１に記載の棒金払出装置であって、
前記手掛け部は、前記収納トレーの隔壁を貫通する貫通窓であり、前記手掛け可／不可切替機構は、前記貫通窓を塞ぐシャッター部によって前記手掛け部を使用不能とすることを特徴とする棒金払出装置。
【請求項３】
請求項２に記載の棒金払出装置であって、
前記シャッター部には、前記貫通窓と重なる部位に満杯の棒金が前記収納トレーに収納されていることを示すインジケータ部が設けられていることを特徴とする棒金払出装置。
【請求項４】
請求項２または請求項３に記載の棒金払出装置であって、
前記シャッター部は、前記貫通窓を塞ぐ平板部と、前記シャッター部が前記貫通孔を塞がない開状態のときに前記平板部を支持するための支持部とを備え、
前記平板部は、前記収納トレーに回動可能に固定された第１の端部と、前記第１の端部に対向する位置にある第２の端部とを含み、
前記支持部は、前記収納トレーに収納されている複数の棒金の中心線によって形成される仮想無限平面を想定したときに、収納されている棒金が満杯より少ない状態では、前記第２の端部が前記第１の端部に対して前記仮想無限平面を挟んだ位置に保持されるように設けられていることを特徴とする棒金払出装置。
【発明の詳細な説明】
【技術分野】
【０００１】
この発明は、棒金払出装置に関する。
【背景技術】
【０００２】
棒金払出装置とは、両替などの際に棒金（所定の枚数の硬貨を積層した状態で包装したもの）を払い出す硬貨取り扱い装置である。棒金払出装置には、コンビニエンスストアなどの店頭に設置され、利用客が直接操作するものがある。そのような棒金払出装置においては、棒金の在庫の補充作業は、店員などの作業者が設置場所である店頭において行うことになる。
【０００３】
そうした状況では、例えば強盗などの悪意をもった第三者によって作業者が棒金補充作業中に身動きを封じられた場合などに、棒金払出装置に収納されている棒金の在庫は容易に抜き取ることが可能であった。しかし、これまでそうした棒金補充時の棒金払出装置の防犯対策には充分な工夫がなされてこなかった。
【０００４】
なお、本発明に関連する先行技術文献等に該当するものは発見されなかった。
【発明の開示】
【発明が解決しようとする課題】
【０００５】
本発明は、棒金払出装置のセキュリティ性を簡易な構成で向上できる技術を提供することを目的とする。
【課題を解決するための手段】
【０００６】
上記目的を達成するために、本発明は、棒金を払い出す棒金払出装置であって、棒金の在庫を格納する棒金在庫収納部と、前記棒金在庫収納部に収納される収納トレーとを備え、前記収納トレーは、前記棒金在庫収納部から前記収納トレーを引き出すときに手を掛けるための手掛け部と、前記手掛け部に設けられた手掛け可／不可切替機構とを備え、前記手掛け可／不可切替機構は、前記収納トレーに満杯に収納された棒金の力により、前記手掛け部を使用不能な状態とし、前記収納トレーに収納されている棒金が満杯より少ないときに前記手掛け部を使用可能な状態に切り替えることを特徴とする。
【０００７】
このような構成によれば、収納トレーの棒金が満杯の場合には、収納トレーは手掛け部が使用不能であるため、棒金在庫収納部から引き出すことができない。従って、例えば強盗などが棒金を奪おうとしても収納トレーが引き出せず、その被害額を抑制することができるなど、棒金払出装置のセキュリティ性を向上できる。
【０００８】
前記手掛け部は、前記収納トレーの隔壁を貫通する貫通窓であり、前記手掛け可／不可切替機構は、前記貫通窓を塞ぐシャッター部によって前記手掛け部を使用不能とすることを特徴とするものとしても良い。
【０００９】
このような構成によれば、貫通窓とシャッター部とで手掛け可／不可切替機構を実現でき、簡易な構成で棒金払出装置のセキュリティ性を向上できる。
【００１０】
前記シャッター部には、前記貫通窓と重なる部位に満杯の棒金が前記収納トレーに収納されていることを示すインジケータ部が設けられていることを特徴とするものとしても良い。
【００１１】
このような構成によれば、収納トレーが満杯であるかどうかを視認できる簡易なインジケータ部を棒金払出装置に設けることができる。
【００１２】
前記シャッター部は、前記貫通窓を塞ぐ平板部と、前記シャッター部が前記貫通孔を塞がない開状態のときに前記平板部を支持するための支持部とを備え、前記平板部は、前記収納トレーに回動可能に固定された第１の端部と、前記第１の端部に対向する位置にある第２の端部とを含み、前記支持部は、前記収納トレーに収納されている複数の棒金の中心線によって形成される仮想無限平面を想定したときに、収納されている棒金が満杯より少ない状態では、前記第２の端部が前記第１の端部に対して前記仮想無限平面を挟んだ位置に保持されるように設けられていることを特徴とするものとしても良い。
【００１３】
このような構成によれば、収納トレーに棒金が補充され満杯状態となったときに、シャッター部が自動的に手掛け部を使用不能な状態に復帰させることになる。
【００１４】
なお、本発明は、種々の形態で実現することが可能であり、例えば棒金払出装置、棒金払出装置を備えた現金取扱装置、棒金払出装置を備えた金融システムなどの形態で実現することができる。
【発明を実施するための最良の形態】
【００１５】
Ａ．第１実施例：
図１は本発明の一実施例として棒金払出装置１００の正面を示す概略図であり、図２は、棒金払出装置１００の右側面を示す概略図である。棒金払出装置１００は、利用者等が操作をする操作部１１０と、利用者の操作に応じて在庫から棒金を払い出す機構を備えた本体部１２０とを備えている。操作部１１０は、利用者が立った状態で操作しやすい高さに設けられており、本体部１２０は、操作部１１０の下部に設けられている。
【００１６】
図１及び図２は、本体部１２０の正面扉部１２３が開き、後述する棒金収納部１２２が筐体の中から引き出された状態を示している。作業者による棒金補充作業は、棒金払出装置１００を図１及び図２の状態にして行うこととなる。通常、利用者が棒金払出装置１００を利用する際には、棒金収納部１２２は、筐体１２１の中に格納されており、正面扉部１２３は閉じた状態でロック部１２４によって施錠されている。
【００１７】
操作部１１０は、利用者の操作を受け付け、利用者に対して情報やメッセージの表示を行うタッチパネル部１１１と、利用者に音声でメッセージ等を伝える音声ガイダンス部１１２とを備えている。また操作部１１０は、利用者のキャッシュカード等を受け付け、明細書などの発行を行うカード・明細機構部１１３と、利用者から両替のための紙幣を受け付ける紙幣投入部１１４と、棒金を払い出す棒金払出部１１５とを備えている。また、操作部１１０の背面内部には、棒金払出装置１００の各制御を行う制御部１３０や、電源供給を担う電源部１３１などが設けられている（図２）。
【００１８】
本体部１２０は、棒金の在庫を格納するための棒金収納部１２２と、棒金収納部１２２から棒金払出部１１５へ棒金を搬送するための搬送部１２６とを備えている。棒金収納部１２２は、後述する収納トレー１０を配列された状態で収納可能なキャビネットであり、収納トレー１０の挿入口とは反対側の背面が搬送部１２６に接続する。
【００１９】
収納トレー１０は、複数の棒金を並列に収納可能なトレーであり、搬送部１２６側が下になるように勾配をつけて棒金収納部１２２に収納されている。そのため、収納トレー１０の内部では、並列に収納された棒金ＰＣは常に搬送部１２６側へ寄った状態となる。
【００２０】
搬送部１２６は、収納トレー１０から排出される棒金ＰＣを受け取るホッパ部１２７と、ホッパ部１２７を各収納トレー１０の位置まで駆動するためのホッパ駆動部１２８と、ホッパ部１２７から棒金ＰＣを受取り、棒金払出部１１５へ棒金ＰＣを搬送する搬送路１２９とを備えている。
【００２１】
棒金払出装置１００が、利用者から棒金払出の指示を受けると、図１及び図２に矢印で図示した経路をたどり、棒金ＰＣが払い出されることになる。
【００２２】
図３は、収納トレー１０の全体を示す斜視図であり、その内部構造が解るように透過して図示してある。図３は、収納トレー１０に棒金ＰＣが並列に収納されて満杯となった状態を示している。
【００２３】
収納トレー１０は、棒金収納部１２２に収納された際に外部へ露呈する正面隔壁１１に、棒金補充作業を行う作業者などが、棒金収納部１２２から収納トレー１０を引き出す際に手をかける手掛け部３１と、棒金が満杯であるか否かを示すインジケータ部３２とを備えている。手掛け部３１とインジケータ部３２はともに、正面隔壁１１を貫通する貫通孔として設けられており、手掛け部３１は、作業者の指を入れることができる程度の大きさである。
【００２４】
収納トレー１０の内部において正面隔壁１１にはシャッター部３０が設けられている。シャッター部３０についての詳細は図４を用いて後述する。
【００２５】
収納トレー１０は、上述したように傾斜した状態で棒金収納部１２２に収納されるため、その側面隔壁１３は略平行四辺形形状となっている。収納トレー１０の上面部１２は開口部１２ｏを有しており、内部の棒金ＰＣは露出した状態である。また、上面部１２の開口部１２ｏを囲む内縁には、縁部１２ｅが設けられており、縁部１２ｅは、収納された棒金ＰＣの両端を覆うように上面部１２の開口部１２ｏに張り出している。
【００２６】
縁部１２ｅは、収納トレー１０の中央部付近に凹部を有することによって棒金を挿入できる開口面積を確保し、棒金収納口１５を形成している。棒金の補充のときには、この棒金収納口１５から棒金を挿入していく。
【００２７】
収納トレー１０の背面部１４は、棒金収納部１２２に収納された際に搬送部１２６と接続する。背面部１４には棒金繰出部３３が設けられている。棒金繰出部３３は、棒金の半径とほぼ同じ内径と棒金の長さとほぼ同じ長さを有する円筒を長さ方向に切断した形状を有しており、その円周方向に円弧の中心を軸に回転するよう収納トレー１０に固定された回転子である。即ち、棒金繰出部３３が図示する矢印方向に１回転すると棒金繰出部３３に接していた棒金ＰＣが１つ収納トレー１０から繰り出される。
【００２８】
図４（Ａ）、（Ｂ）は、収納トレー１０の正面隔壁１１を拡大して示しており、シャッター部３０の機構を示す説明図である。図４（Ａ）は、図３と同じく、棒金ＰＣが満杯の状態を示しており、図４（Ｂ）は、棒金ＰＣが１つ排出された後の状態を示している。
【００２９】
シャッター部３０は、正面隔壁１１とほぼ同じ大きさの平板部３０ｐを有している。平板部３０ｐの左右の両辺には扇形状を有した側板３０ｓが設けられており、平板部３０ｐは、その左右の一辺を側板３０ｓと共有している。側板３０ｓの円弧の中心には回転軸３０ｒが設けられており、回転軸３０ｒは、収納トレー１０内部の正面隔壁１１側の底辺部に、回動可能なように固定されている。
【００３０】
シャッター部３０は、棒金ＰＣが満杯の状態では、図４（Ａ）に示すように、平板部３０ｐが、手掛け部３１及びインジケータ部３２を塞ぐように、正面隔壁１１と接している。即ち、収納トレー１０の棒金ＰＣが満杯状態のときは、手掛け部３１に指を入れることができず、収納トレー１０が棒金収納部１２２（図１）に収納されているとき、収納トレー１０は、引き出せない状態となる。
【００３１】
シャッター部３０は、棒金ＰＣが満杯より少ない状態では、図４（Ｂ）に示すように倒れ、平板部３０ｐが手掛け部３１から離れ倒れた状態となる。収納トレー１０が満杯状態でない場合は、手掛け部３１に指を入れることが可能であり、収納トレー１０は、棒金収納部１２２から引き出すことが可能な状態となる。
【００３２】
図４（Ｃ）は、図４（Ｂ）の収納トレー１０を、側面隔壁１３を正面に見たときの概略図であり、側面隔壁１３が無い状態を想定した概略図である。シャッター部３０が倒れた状態であるとき、平板部３０ｐは、側板３０ｓの中心角の角度で保持された状態となる。この中心角の角度は、収納された複数の棒金ＰＣの中心線によって形成される仮想無限平面Ｐを想定したとき、平板部３０ｐの上辺３０ｕが仮想無限平面Ｐより上に保持される角度であることが好ましい。このような構成とすることによって、収納トレー１０に棒金ＰＣが補充され満杯となれば、シャッター部３０は、平板部３０ｐが棒金ＰＣによって跳ね上げられ、自動的に図４（Ａ）で示した状態に復帰することになる。
【００３３】
シャッター部３０が、図４（Ａ）に示す状態であるときに、インジケータ部３２から覗いている平板部３０ｐの一部位には彩色部位３２ａ（図４（Ａ）、（Ｂ）では黒色で塗り潰して図示）が設けられている。彩色部位３２ａは、例えば赤色が塗られているものとしても良い。この彩色部位３２ａによって、インジケータ部３２は収納トレー１０が満杯であるときは赤色となり、収納トレーが満杯であるか否かを視認することを容易にする。
【００３４】
また、図４（Ａ）に示すように、回転軸３０ｒには、その両端にスプリング４０が設けられているものとしても良い。この場合、スプリング４０は、シャッター部３０を図４（Ｂ）に示す倒れる方向に付勢するように設けられている。このスプリング４０によって、収納トレー１０が満杯でない状態のときにより確実にシャッター部３０が倒れた状態とすることができる。
【００３５】
収納トレー１０の底面であって、正面隔壁１１の裏側には、手を掛けることができる程度の窪みを設けることで第２の手掛け部４１を設けることもできる。棒金補充作業時に、収納トレー１０を棒金収納部１２２から手掛け部３１によって第２の手掛け部４１が露出するまで引き出せば、あとは第２の手掛け部４１によって、収納トレー１０を引き出すことができる。
【００３６】
例えば棒金払出装置１００がコンビニエンスストアなどの店頭に設置されている場合には、棒金補充作業は棒金収納部１２２を筐体１２１から引き出した無防備な状態となる（図１、図２）。その状態で、棒金補充作業中の作業者を悪意ある第三者が拘束し、棒金を奪おうとしても、本実施例の構成によれば、満杯の収納トレー１０は引き出すことができず、その被害を抑制することができる。即ち、比較的高価なセンサーなどの電装部品を用いることなく、安価に、かつ、容易に、棒金払出装置のセキュリティ性を向上することができる。また、インジケータ部３２を設けることによって、発光ダイオード（ＬＥＤ）などの電装部品を用いることなく、作業者に補充が必要な収納トレー１０を知らせることができ、棒金補充作業の作業性の向上にもつながる。
【００３７】
Ｂ．第２実施例：
図５（Ａ）〜（Ｃ）は、一実施例としての棒金払出装置の収納トレー１０ａを示す概略図である。第２実施例における棒金払出装置は、第１実施例における棒金払出装置１００と装置構成は同じである。また、第２実施例の収納トレー１０ａは、シャッター部３０ａの形状及び機構が異なる点と、正面隔壁１１ａの形状が異なる点以外は第１実施例の収納トレー１０の構成とほぼ同じである。
【００３８】
図５（Ａ）〜（Ｂ）は、棒金ＰＣが満杯に収納された収納トレー１０ａの状態を示しており、図５（Ａ）は、収納トレー１０ａの正面隔壁１１ａを示し、図５（Ｂ）は、図５（Ａ）に示す５Ｂ−５Ｂ切断における断面図である。
【００３９】
シャッター部３０ａは、互いに直交する２つの平板部３０ｐａ、３０ｐｂを有するアングル形状である。シャッター部３０ａは、その２つの平板部３０ｐａ、３０ｐｂが直交する角を中心に回動可能なように回転軸３０ｒａによって収納トレー１０ａの正面隔壁１１ａの底辺部に固定されている。
【００４０】
第１の平板部３０ｐａは、正面隔壁１１ａを貫通する長方形の窓５０とほぼ同じ大きさであり、収納トレー１０ａの棒金ＰＣが満杯時には図５（Ａ）、（Ｂ）に示すように窓５０を塞いでいる。このとき第２の平板部３０ｐｂは、収納トレー１０ａの底面にあり、棒金ＰＣの下部と接している。
【００４１】
図５（Ｃ）は、棒金ＰＣが１つ減った状態の収納トレー１０ａを示している。シャッター部３０ａは、棒金ＰＣと接しない状態となたときに、図示しないスプリングによって図に示すように第２の平板部３０ｐｂが跳ね上がる。シャッター部３０ａは、第２の平板部３０ｐｂが、第１の平板部３０ｐａより面積を大きく設けられてあるため、図に示すように正面隔壁１１ａと接した状態で保持される。従って、第１の平板部３０ｐａは、窓５０から突出した状態となり、そのまま手掛け部となる。
【００４２】
このような構成としても、第１実施例と同様に棒金ＰＣが満杯時には手掛け部（第１の平板部３０ｐａ）が使用不能であり、収納トレー１０ａを棒金収納部１２２から引き出せない。棒金ＰＣの補充が必要な収納トレー１０ａのみが手掛け部（第１の平板部３０ｐａ）が使用可能となり、引き出すことができる。
【００４３】
また、収納トレー１０ａの棒金満杯時（図５（Ａ））の、第１の平板部３０ｐａの外部に露出した面を彩色することによってシャッター部３０ａにインジケータ部としての機能を持たせることもできる。
【００４４】
Ｃ．変形例：
なお、この発明は上記の実施例や実施形態に限られるものではなく、その要旨を逸脱しない範囲において種々の態様において実施することが可能であり、例えば次のような変形も可能である。
【００４５】
Ｃ１．変形例１：
上記実施例において、シャッター部３０、３０ａの回転軸３０ｒ、３０ｒａは、正面隔壁１１、１１ａの底辺部において固定されていたが、上辺部において固定されていても良い。
【００４６】
Ｃ２．変形例２：
第１実施例において、平板部３０ｐに凸部を設け、棒金ＰＣの満杯時にはその凸部が手掛け部３１にはまりこむものとしても良い。このような構成とすることによって、収納トレー１０の満杯時に手掛け部３１をより確実に使用不能な状態にすることができる。
【図面の簡単な説明】
【００４７】
【図１】棒金払出装置の正面を示す概略図。
【図２】棒金払出装置の側面を示す概略図。
【図３】収納トレーの全体を示す斜視概略図。
【図４】第１実施例のシャッター部の機構を説明するための概略図。
【図５】第２実施例のシャッター部の機構を説明するための概略図。
【符号の説明】
【００４８】
１１…正面隔壁（第１実施例）
１１ａ…正面隔壁(第２実施例）
１２…上面部
１２ｅ…縁部
１２ｏ…開口部
１３…側面隔壁
１４…背面部
１５…棒金収納口
３０…シャッター部（第１実施例）
３０ａ…シャッター部(第２実施例）
３０ｐ…平板部（第１実施例）
３０ｐａ…第１の平板部(第２実施例）
３０ｐｂ…第２の平板部(第２実施例）
３０ｒ…回転軸（第１実施例）
３０ｒａ…回転軸(第２実施例）
３０ｓ…側板
３０ｕ…上辺
３１…手掛け部
３２…インジケータ部
３２ａ…彩色部位
３３…棒金繰出部
４０…スプリング
４１…第２の手掛け部
５０…窓
１００…棒金払出装置
１１０…操作部
１１１…タッチパネル部
１１２…音声ガイダンス部
１１３…カード・明細機構部
１１４…紙幣投入部
１１５…棒金払出部
１２０…本体部
１２１…筐体
１２２…棒金収納部
１２３…正面扉部
１２４…ロック部
１２６…搬送部
１２７…ホッパ部
１２８…ホッパ駆動部
１２９…搬送路
１３０…制御部
１３１…電源部
Ｐ…仮想無限平面
ＰＣ…棒金
【図１】
2007334567.tif 000003
【図２】
2007334567.tif 000004
【図３】
2007334567.tif 000005
【図４】
2007334567.tif 000006
【図５】
2007334567.tif 000007